(57)【特許請求の範囲】
【請求項１】
一方の面に複数のピットと複数のランドが予め形成された合成樹脂からなる基板と、
上記基板の上記複数のピットと複数のランドを覆うように設けられた金属材料からなる反射膜とを有し、
上記複数のピットと複数のランドによって、所定の変調方式によって変調された変調後のパターンでデータを記録する領域と識別データを記録する領域とが設けられ、
上記識別データを記録する領域において、フォーカシング制御及びトラッキング制御用の所定のパターンとして、上記所定の変調方式の変調後のパターンに含まれる上記複数のピットと複数のランドが繰り返される繰り返しパターンが設けられており、
上記識別データは、上記反射層に光ビームを照射して上記ピットと同じ光学的特性を有するように上記反射層と上記基板を物理的に変化させることによって記録トラック上又は記録トラック間に記録される光ディスク。
【請求項２】
上記光ディスクは、少なくとも第１の記録領域と第２の記録領域を有し、
上記識別データは、上記第１及び第２の記録領域のリードイン領域又はリードアウト領域、又は上記第１の記録領域と上記第２の記録領域の間の領域のいずれかの領域に記録された請求項１記載の光ディスク。
【請求項３】
上記識別データは、上記光ディスクのリードイン領域又はリードアウト領域のいずれかの領域に記録される請求項１記載の光ディスク。
【請求項４】
上記識別データは、上記光ディスク個別の識別データである請求項１記載の光ディスク。
【請求項５】
上記識別データは、上記複数のピットと複数のランドの凹凸パターンとして記録される上記データに関する著作権の所有者又は管理者を特定するためのデータである請求項１記載の光ディスク。
【請求項６】
上記識別データは、上記光ディスクを頒布登録するための記録媒体番号である請求項１記載の光ディスク。
【請求項７】
上記反射膜を構成する上記金属材料は、アルミニウム合金である請求項１記載の光ディスク。
【請求項８】
一方の面に複数のピットと複数のランドが予め形成された合成樹脂からなる基板と、上記基板の上記複数のピットと複数のランドを覆うように設けられた金属材料からなる反射膜とを有し、上記複数のピットと複数のランドによって、所定の変調方式によって変調された変調後のパターンでデータを記録する領域と識別データを記録する領域とが設けられ、上記識別データを記録する領域において、フォーカシング制御及びトラッキング制御用の所定のパターンとして、上記所定の変調方式の変調後のパターンに含まれる上記複数のピットと複数のランドが繰り返される繰り返しパターンが設けられており、
上記識別データが、上記反射層に光ビームを照射して上記ピットと同じ光学的特性を有するように上記反射層と上記基板を物理的に変化させることによって記録トラック上又は記録トラック間に記録される光ディスクの記録方法。
【請求項９】
上記光ディスクは、少なくとも第１の記録領域と第２の記録領域を有し、上記第１及び第２の記録領域のリードイン領域又はリードアウト領域、又は上記第１の記録領域と上記第２の記録領域の間の領域のいずれかの領域に上記識別データを記録する請求項８記載の光ディスクの記録方法。
【請求項１０】
上記識別データは、上記光ディスクのリードイン領域又はリードアウト領域のいずれかの領域に記録される請求項８記載の光ディスクの記録方法。
【請求項１１】
上記識別データは、上記光ディスク個別の識別データである請求項８記載の光ディスクの記録方法。
【請求項１２】
上記識別データは、上記凹凸パターンとして記録される上記データに関する著作権の所有者又は管理者を特定するためのデータである請求項８記載の光ディスクの記録方法。
【請求項１３】
上記識別データは、上記光ディスクを頒布登録するための記録媒体番号である請求項８記載の光ディスクの記録方法。
【請求項１４】
上記反射膜を構成する上記金属材料は、アルミニウム合金である請求項８記載の光ディスクの記録方法。
【請求項１５】
一方の面に複数のピットと複数のランドが予め形成された合成樹脂からなる基板と、上記基板の上記複数のピットと複数のランドを覆うように設けられた金属材料からなる反射膜とを有し、上記複数のピットと複数のランドによって、所定の変調方式によって変調された変調後のパターンでデータを記録する領域と識別データを記録する領域とが設けられ、上記識別データを記録する領域において、フォーカシング制御及びトラッキング制御用の所定のパターンとして、上記所定の変調方式の変調後のパターンに含まれる上記複数のピットと複数のランドが繰り返される繰り返しパターンが設けられており、上記識別データが、上記反射層に光ビームを照射して上記ピットと同じ光学的特性を有するように上記反射層と上記基板を物理的に変化させることによって記録トラック上又は記録トラック間に記録された光ディスクから読み出されたデータから上記識別データが検出できたか否かを判別し、
上記識別データが検出できなかったと判別されたときには、上記光ディスクの再生を中止する光ディスクの再生方法。
【請求項１６】
上記方法は、上記光ディスクの再生を行う際に最初に上記識別データが検出できたか否かを判別する請求項１５記載の光ディスクの再生方法。
【発明の詳細な説明】
【０００１】
技術分野
本発明は、楽曲データ等の第１のデータが記録された光ディスクに、光ディスク固有の識別を可能とする識別データ等の第２のデータが記録された光ディスク、光ディスクの記録方法及び再生方法に関する。
【０００２】
背景技術
従来、著作物データである楽曲、画像、映像等のディジタルコンテンツを記録し、光学的な再生手段によりデータの読み出しを可能とした光ディスクとして、コンパクトディスク（以下、単にＣＤという。）やディジタル・バーサタイル・ディスク（以下、単にＤＶＤという。）等がある。この種の光ディスクは、標準化された記録フォーマットによってディジタルコンテンツが記録されている。
【０００３】
光ディスクは、原盤からの大量複製を可能とすると共に大量頒布を可能とする記録媒体であり、同一のディジタルコンテンツを記録した光ディスクは、基本的に同一の形状を有しており、収納体に収納されて頒布される。このように共通のディジタルコンテンツが記録された独立した光ディスクをそれぞれ収納体に収納して頒布される所謂パッケージメディアの識別を行うため、通常、収納体には、シリアル番号が印刷された印刷物が収納されている。また、収納体には、シリアル番号が印刷されたシールが貼着されている。
【０００４】
このようなパッケージメディアにおいて、収納体にシリアル番号を設けて光ディスクの識別を行うようにしたパッケージメディアにあっては、光ディスク単体での識別を行うことができない。また、シリアル番号を印刷したシールが剥がれたり、シリアル番号が印刷された印刷物を紛失した場合等には、シリアル番号と光ディスクとの対応を取ることができなくなってしまう。更に、光ディスク単体が他者に渡ったときには、光ディスクの管理が困難なものとなってしまう。
【０００５】
発明の開示
本発明は、上述したような実情に鑑みて提案されたものであり、第１の記録領域に記録された第１のデータと異なる第２のデータを第２の記録領域に設けられた記録パターン上に記録することで、光ディスクの管理を確実に行うことができる光ディスク、光ディスクの記録方法及び再生方法を提供することを目的とする。
【０００６】
上述のような目的を達成するために提案される本発明に係る光ディスクは、一方の面に複数のピットと複数のランドが予め形成された合成樹脂からなる基板と、基板の複数のピットと複数のランドを覆うように設けられた金属材料からなる反射膜とを有する。この光ディスクは、複数のピットと複数のランドによって、所定の変調方式によって変調された変調後のパターンでデータを記録する領域と識別データを記録する領域とが設けられ、識別データを記録する領域において、フォーカシング制御及びトラッキング制御用の所定のパターンとして、所定の変調方式の変調後のパターンに含まれる複数のピットと複数のランドが繰り返される繰り返しパターンが設けられている。そして、識別データは、反射層に光ビームを照射してピットと同じ光学的特性を有するように反射層と基板を物理的に変化させることによって記録トラック上又は記録トラック間に記録される。
【０００７】
本発明に係る光ディスクの記録方法では、識別データが、反射層に光ビームを照射してピットと同じ光学的特性を有するように反射層と上記基板を物理的に変化させることによって記録トラック上又は記録トラック間に記録される。
【０００８】
本発明に光ディスクの再生方法は、以上のように識別データが記録された光ディスクから読み出されたデータの中から識別データが検出できたか否かを判別し、識別データが検出できなかったと判別されたときには、光ディスクの再生を中止する。
【０００９】
本発明の更に他の目的、本発明によって得られる具体的な利点は、以下に説明される実施例の説明から一層明らかにされるであろう。
発明を実施するための最良の形態
以下、本発明が適用された光ディスク、この光ディスクの記録装置及び方法、さには、この光ディスクの再生装置及び方法について、図面を参照して説明する。
【００１０】
先ず、本発明が適用された光ディスクについて説明すると、図１に示すように、光ディスク１は、内周側に、いわゆる音楽データが記録されたＣＤ（Compact Disc）と同じ記録フォーマットで第１のデータとなる第１のディジタルコンテンツが記録される第１の記録領域２が設けられ、この第１の記録領域２の外周側に、第２のデータとなる記録媒体固有の識別データが記録される第２の記録領域３が設けられ、この第２の記録領域３の外周側に、第３のデータとなる第１の記録領域２に記録された第１のディジタルコンテンツと関連する又は異なる第２のディジタルコンテンツが記録される第３の記録領域４が設けられている。第３の記録領域４には、第１の記録領域２と記録フォーマットを同じくしつつ、第１の記録領域２より例えば２倍の記録密度で第２のディジタルコンテンツが記録される。
【００１１】
第１の記録領域２に記録される第１のディジタルコンテンツは、楽曲、画像、映像、音声等のデータであり、例えば光ディスク１に記録されるコンテンツの主データを構成する。第３の記録領域４に記録される第２のディジタルコンテンツは、例えば第１の記録領域２に記録される第１のディジタルコンテンツの一部であり、また、第１の記録領域２に記録に記録される第１のディジタルコンテンツがオーディオデータであるとき、第１の記録領域２に記録されたオーディオデータより高音質のオーディオデータである。また、第３の記録領域４に記録される第２のディジタルコンテンツは、第１のディジタルコンテンツと関連するデータとして、信号圧縮された画像データ、テキストデータ等が記録される。具体的には、第１の記録領域２に記録された第１のディジタルコンテンツに付属されるポスター、歌詞、インタビュー記事、新曲案内等である。
【００１２】
第２の記録領域３に記録される識別データは、光ディスク１を１枚１枚識別するための記録媒体固有の個別ＩＤデータである。具体的に、この個別識別ＩＤは、光ディスク１の頒布登録を行うための記録媒体番号、製造装置を特定するための製造装置ＩＤ、著作権の所有者や管理者を特定するための著作権ＩＤ、光ディスク１に記録された第１及び第２のディジタルコンテンツに関連するインターネット上の所定のウェブサイトにアクセスするためのＵＲＬ（Uniform Resource Locator）等である。なお、この第２の記録領域３は、第１のセッションである第１の記録領域２と第２のセッションである第３の記録領域４との間に設ける他、第１又は第３の記録領域２のリードアウト領域や第１又は第３の記録領域４のリードイン領域に設けるようにしてもよい。
【００１３】
なお、以上説明した光ディスク１では、第３の記録領域４に、第２のディジタルコンテンツを第１の記録領域２の記録密度より高い記録密度、例えば２倍の記録密度で記録したが、この第３の記録領域４には、第１の記録領域２と同じ記録密度で第２のディジタルコンテンツを記録するようにし、内周側がいわゆるＣＤフォーマットに基づくデータが記録され、外周側がいわゆるＣＤ−ＲＯＭフォーマットに基づくデータが記録されたＣＤ−Ｅｘｔｒａや複数の記録領域を有するいわゆるマルチセッション形のＣＤのように構成してもよい。
【００１４】
また、本発明が適用された光ディスクは、図２に示すように構成することもできる。この光ディスク５は、上述した光ディスク１が２セッションの光ディスクであるのに対して、記録領域が１つのシングルセッションの光ディスクである。具体的に、この光ディスク５は、ほぼ全域に亘って第１の記録領域６が設けられ、第１の記録領域６の外周側に、識別データが記録される第２の記録領域７が設けられている。すなわち、第１の記録領域６は、内周側に、ＴＯＣ（table ｏｆ contents）等が記録されたリードイン領域が設けられ、このリードイン領域の外周側に、ディジタルコンテンツが記録されるプログラム領域が設けられている。また、識別データが記録される第２の記録領域７は、プログラム領域の外周側に設けられるリードアウト領域の一部、例えばリードアウト領域の略中央領域に設けられている。第２の領域７がリードアウト領域の略中央領域に設けられることで、再生装置は、光ピックアップで識別データを確実に読み出すことができる。
【００１５】
第１の記録領域６には、上述した光ディスク１の第３の記録領域４と同様に、ディジタルコンテンツが、ＣＤと同じ記録フォーマットで記録密度を、光ディスク１の第１の記録領域２よりも高い記録密度、例えば２倍に高めて記録されている。この第１の記録領域５には、高音質のオーディオデータや信号圧縮された静止画像データ、動画像データ等が記録されている。第２の記録領域７には、光ディスク５を１枚１枚識別するための記録媒体固有の識別データが記録されている。この識別データは、具体的には光ディスク１の識別データと同様に、光ディスク５の頒布登録を行うための記録媒体番号、製造装置を特定するための製造装置ＩＤ、著作権の所有者や管理者を特定するための著作権ＩＤ、第１の記録領域６に記録されたディジタルコンテンツに関連するインターネット上の所定のウェブサイトにアクセスするためのＵＲＬ等である。
【００１６】
この光ディスク５も、第１の記録領域６を、ＣＤと同じ標準的な記録密度でディジタルコンテンツを記録するようにしてもよい。
【００１７】
ここで、以上のようなデータが記録される光ディスク１，５の記録フォーマットについて説明すると、図３に示すように、先頭１．７バイトがフレーム同期信号とされ、次いで、１バイトがサブコードとされ、次いで、３２バイトが記録領域とされる。この記録領域は、１２バイトのデータ領域とこれに次ぐ４バイトのパリティとを２回繰り返して構成されている。光ディスク１は、第１の記録領域２、第２の記録領域３、第３の記録領域４とに亘って、この記録フォーマットでデータが記録され、また、光ディスク５も、第１の記録領域６と第２の記録領域７とに亘って、この記録フォーマットでデータが記録されている。
【００１８】
なお、図３に示す記録フォーマットは、一例に過ぎず、各領域のバイト数や配置は任意に設定することができる。
【００１９】
ところで、光ディスク１，５は、基本的に再生専用の記録媒体であり、光ディスク１の第１乃至第３の記録領域２，３，４や光ディスク５の第１及び第２の記録領域６，７には、記録すべきデータに対応したピットパターンが設けられている。光ディスク１の第２の記録領域３や光ディスク５の第２の記録領域７には、識別データがピット又はランド上の反射膜に熱記録されている。
【００２０】
ここで、光ディスク１，５の製造方法について説明すると、図４に示すように、レジスト塗布工程１１では、ガラス原盤にフォトレジストを塗布し、次いで、カッティング工程１２では、記録すべきデータに応じた凹凸のピットパターンをレーザ光をフォトレジストに照射し原盤を作製する。次いで、ピットパターンがカッティングされた原盤は、現像・定着工程１３において、現像処理され定着処理がされる。この後、金属原盤作製工程１４では、表面に電解めっきが施されてマザー盤である金属原盤が作製される。次に、スタンパ作製工程１５では、金属原盤を元にしてスタンパが製造される。基板成型工程１６では、スタンパを射出成型機の成型金型に取り付け、射出成型機によりポリカーボネートやアクリル等の透明樹脂を用いてディスク基板が形成される。成型されたディスク基板には、カッティング工程１２で原盤に形成された光ディスク１の第１乃至第３の記録領域２，３，４や光ディスク５の第１及び第２の記録領域６，７のピットパターンが転写される。このディスク基板のピットパターンが転写された面側が光ディスク１，５の信号記録面を構成する。次いで、反射膜形成工程１７では、ディスク基板のピットパターンが形成された面に後述する金属をターゲットとしてスパッタ等により反射膜が形成される。光ディスク１，５は、この反射膜を利用して第２の記録領域３，７に識別データが熱記録される。
【００２１】
ここで、光ディスク１，５に用いる反射膜は、識別データを記録するため、データの記録を可能とする材料により形成される必要がある。そこで、光ディスク１，５に用いられる反射膜は、ＣＤやＤＶＤに用いられる反射膜と同程度の反射率若しくは従来より用いられている光学ヘッドで読出可能な反射率を有しながら、光ビームを用いた熱記録によって読み出し用の光ビームの反射率が変化するような材料により形成される。すなわち、反射膜は、熱記録によって読出用の光ビームに対する反射率が約０．５％以上１０％以下の範囲で変化する特性を有する金属膜によって形成される。具体的には、アルミニウムにゲルマニウムを微量混入させたアルミニウム合金により形成される。
【００２２】
保護膜塗布工程１８では、反射膜上に紫外線硬化型樹脂をスピンコートによって塗布し、紫外線を照射することによって保護膜が形成される。このように形成された光ディスク１，５は、保護膜が形成された面側とは反対側の面側から光ビームが照射されることによりデータの読み出し再生が行われる。この後、識別データ記録工程１９では、光ディスク１，５に、第２の記録領域３，７の反射膜に記録ための光ビームとしてのレーザ光、即ち光ディスク１，５に記録されたデータを読み出すレーザ光と同じ波長を有し、読み出し時によりも出力レベルの高いレーザ光によって識別データが熱記録される。記録する識別データが光ディスク１，５の頒布登録を行うための記録媒体番号、著作権の所有者や管理者を特定するための著作権ＩＤ、ＵＲＬ等であるとき、識別データの記録は、販売元において行われ、記録する識別データが製造装置ＩＤ等である場合には、製造元において行われる。識別データをユーザが記録することができるときには、ユーザが所有する記録装置で識別データの記録が行われる。
【００２３】
ここで、カッティング工程１２で、記録すべきデータに応じた凹凸のピットパターンをレーザカッティングし原盤を作製するカッティング装置２１について説明すると、このカッティング装置２１は、図５に示すように、例えば記録すべき標本化されたデータが入力されるＡ／Ｄコンバータ２２と、このＡ／Ｄコンバータ２２から出力されたディジタル信号にエラー訂正符号化処理を施すエラー訂正符号化回路２３と、符号化出力を変調する変調回路２４と、サブコード信号を発生するサブコード信号発生器２５と、変調回路２４からの出力とサブコード信号発生器２５からのデータを加算し、記録データを発生するデータ発生器２６とを備える。また、カッティング装置２１は、レーザ光を出射するレーザ源２７と、レーザ光をデータ発生器２６からのデータに基づいて変調する光変調器２８と、変調されたレーザ光を反射するミラー２９と、ミラー２９を可動する可動機構３０と、レーザ光を集光し、ガラス原盤３５のフォトレジストにに照射する対物レンズ３１と、ガラス原盤３５を回転するモータ３２と、対物レンズ３１を対物レンズ３１の光軸方向であるフォーカシング方向に駆動変位する対物レンズ駆動機構３３とを備える。
【００２４】
エラー訂正符号化回路２３は、例えばアナログのディジタルコンテンツをクロスインターリーブ・リード・ソロモン符号化（Cross Interleave Reed-solomon Code；CIRC）のアルゴリズムを用いてサンプルにクロスインターリーブと４次のリード・ソロモン符号の組み合わせによる符号化を施し、変調回路２４に出力する。
【００２５】
変調回路２４は、例えばエラー訂正符号化回路２３からの符号化出力にＥＦＭ（Eight to Fourteen Modulation）のアルゴリズムに従って変調処理を施し、データ発生器２６に出力する。具体的に、変調回路２４は、図６及び図７に示すＥＦＭ変換テーブルに従って、最小ラン・レングス（最小反転間隔Ｔｍｉｎ）を２とし、最大ラン・レングス（最大反転間隔Ｔｍａｘ）を１０として８ビットの系列を１４ビットの記録符号系列に変換する。このとき、変調回路２４は、記録符号系列の１４ビットのブロック間に３ビットの結合符号を挿入する。すなわち、変調回路２４は、記録符号系列を１７ビットとする。なお、変調方式は、ＥＦＭに限定されるものではなく、８−１６変調等であってもよい。
【００２６】
以上のような変調方式によって、変調回路２４は、光ディスク１の第１の記録領域２に記録される第１のディジタルコンテンツと第３の記録領域４に記録される第２のディジタルコンテンツを変調し、データ発生器２６に出力する。変調回路２４は、光ディスク５の第１の記録領域６に記録されるディジタルコンテンツを変調し、データ発生器２６に出力する。更に、変調回路２４は、光ディスク１の第１の記録領域２と第３の記録領域４との間に設けられる第２の記録領域３及び光ディスク５の第２の記録領域７に記録すべきデータ、すなわち図６に示す１０進法で２５番目の〔０００１１００１〕のデータを〔１００００００００１００００〕に変換して、データ発生器２６に出力する。光ディスク１の第２の記録領域３及び光ディスク５の第２の記録領域７には、径方向に２０〜４０μｍに亘って〔１００００００００１００００〕のピットパターンが繰り返し設けられる。
【００２７】
上述したレーザ源２７には、アルゴンレーザ、Ｈｅ−Ｃｄレーザ等のガスレーザが用いられる。また、光変調器２８としては、ポッケルス効果を用いるＥＯＭ（Electorical Optical Modulator）や超音波を用いるＡＯＭ（Acoustic-Optical Modulator）等が用いられる。
【００２８】
以上のようなカッティング装置２１では、記録すべき標本化されたデータがＡ／Ｄコンバータ２２に入力されると、Ａ／Ｄコンバータ２２は、データをアナログ信号からディジタル信号に変換し、エラー訂正符号化回路２３に出力し、エラー訂正符号化回路２３は、サンプルにクロスインターリーブと４次のリード・ソロモン符号の組み合わせによる符号化を施し、変調回路２４に出力する。変調回路２４は、データをＥＦＭ変調する。すなわち、変調回路２４は、図６及び図７に示すＥＦＭ変換テーブルに基づいて、光ディスク１の第１の記録領域２に記録される第１のディジタルコンテンツと第２の記録領域３に記録されるＥＦＭ変換テーブルで、１０進法で２５番目のデータと第３の記録領域４に記録される第２のディジタルコンテンツをＥＦＭ変調し、データ発生器２６に出力する。変調回路２４は、光ディスク５の第１の記録領城６に記録されるディジタルコンテンツと第２の記録領域７に記録されるＥＦＭ変換テーブルで１０進法で２５番目のデータとを、ＥＦＭ変調し、データ発生器２６に出力する。データ発生器２６は、変調回路２４からデータが入力されると共に、サブコード信号発生回路２６よりサブコード等のデータが入力され、これらのデータを加算することで記録データを生成し、この記録データを光変調回路２８に出力する。
【００２９】
一方、レーザ源２７は、レーザ光を出射し、レーザ光は、光変調器２８に入力される。光変調器２４は、データ発生器２６からの入力に基づいて、レーザ光を変調する。すなわち、光変調器２６は、光ディスク１の第１の記録領域２及び第２の記録領域３にデータを記録するとき、標準的な記録密度、すなわち従来のＣＤと同じ記録密度でレーザ光を変調し、第３の記録領域４にデータを記録するとき、第１及び第２の記録領域２，３より記録密度が高い記録密度になるように、例えば２倍となるようにレーザ光の光路を折り曲げるミラー２９の偏向角度又はフォトレジスト上のレーザスポットとガラス原盤３５との相対的な移動が制御される。光変調器２８は、光ディスク５の第１の記録領域５又は第２の記録領域６にデータを記録するとき、データを変調器２６からの出力データに基づいてレーザ光を変調する。
【００３０】
光変調器２６で変調されたレーザ光は、ミラー２９に入射される。ミラー２９は、レーザ光をガラス原盤３５の内外周に亘って走査することができるように、可動機構２０により移動される。ミラー２９によって光路が折り曲げられたレーザ光は、対物レンズ３１により集光され、回転駆動部であるスピンドルモータ３２により回転されているガラス原盤３５のフォトレジストに照射される。このとき、対物レンズ３１は、対物レンズ駆動機構３３によりレーザ光の光軸方向に駆動変位され、ガラス原盤３５のフォトレジスト上に合焦するようにフォーカス制御が行われる。
【００３１】
スタンパは、以上のようなカッティング装置２１によって形成されたガラス原盤３５を元にして図４に示す工程に従って形成される。保護膜が形成された光ディスク１には、第１の記録領域２に第１のディジタルコンテンツに対応したピットパターンが設けられ、第１の記録領域２の外周側の第２の記録領域３に、第１の記録領域２のデータの変調パターンに含まれるパターン、すなわち、図６に示す２５番目の変調パターンに基づくピットパターンが設けられ、第３の記録領域４に、記録密度を第１の記録領域２の記録密度よりも高い記録密度、例えば２倍にした第２のディジタルコンテンツに対応したピットパターンが設けられる。光ディスク５には、第１の記録領域６に、記録密度を光ディスク１の第１の記録領域の記録密度よりも高い記録密度、例えば２倍にしたディジタルコンテンツに対応したピットパターンが設けられ、第１の記録領域６の外周側の第２の記録領域７に、第１の記録領域６のデータの変調パターンに含まれるパターン、すなわち、図６に示す２５番目の変調パターンに基づくピットパターンが設けられる。
【００３２】
具体的に、光ディスク１の第２の記録領域３や光ディスク５の第２の記録領域７には、図８Ａに示すように、フレーム同期信号に結合符号３ビットを付加したビット間隔が２７Ｔのフレーム同期信号、サブコードに結合符号３ビットを付加したビット間隔が１７Ｔのサブコード信号に次いで、ビット間隔が３４Ｔのデータ領域が設けられる。このデータ領域は、図６に示すＥＦＭ変換テーブルの１０進法で２５番目の〔１００００００００１００００〕のパターンに次いで結合符号として〔０００〕のパターンを付加したものであり、ビット間隔が９Ｔ、８Ｔのパターンから構成される。光ディスク１，５の第２の記録領域３，７には、図８Ａに示すように、データに対応した凹部よりなるピット部Ｐと、ピット部Ｐに連続したランドＬが設けられる。なお、図８Ｂに示すように、データ領域には、９Ｔのピット部Ｐに次いで８Ｔのランド部Ｌを設けるようにしてもよい。
【００３３】
光ディスク１では、このような第２の記録領域３の外周側には、更に、記録密度が第１及び第２の記録領域２，３より高い記録密度、例えば２倍にした第２のディジタルコンテンツに対応したピットパターンが設けられる。光ディスク５では、第１の記録領域６にディジタルコンテンツに対応した記録密度を光ディスク１の第１の記録領域２の記録密度よりも高い記録密度、例えば２倍にしたピットパターンが設けられ、この外周側の第２の記録領域７に、図８Ａ、図８Ｂに示すようなピットパターンが設けられる。以上のような光ディスク１，５は、いわゆるＣＤの製造方法と同様な方法で、識別データを第２の記録領域３，７に記録することができる光ディスク１，５を製造することができる。
【００３４】
なお、第２の記録領域３，７に用いられるパターンは、１０進法で２５番目のデータパターンに限定されるものではなく、このＥＦＭ変換テーブルに含まれる１１Ｔ以下の他のパターンでもよく、このＥＦＭ変換テーブルに含まれないパターンであってもよい。ＥＦＭ変調方式によらないときには、２Ｔ以下や１２Ｔ以上の変数を用いてピットパターンを設けてもよい。更に、図９に示すように、第２の記録領域３，７に用いるパターンは、フレーム同期信号やサブコードを設けることなく、同じ長さのピット部Ｐとランド部Ｐとを繰り返して構成するようにしてもよい。このときのピット部Ｐとランド部Ｌの長さは、例えば３Ｔである。勿論、この長さは、２Ｔや３Ｔより長い６Ｔ等であってもよい。更に、第２の記録領域３，７に用いるパターンは、フレーム同期信号やサブコードを設けることなく、ピット部Ｐのみを同じ長さにしたり、ランド部Ｌのみを同じ長さにするようにしてもよい。すなわち、この長さは、出力信号のエッジを検出できる長さであればよいが、エッジを検出し易くするため、長い方が好ましい。
【００３５】
以上のような第２の記録領域３，７に識別データが未記録の光ディスク１，５は、例えば製造元より販売元に出荷され、この販売元において、光ディスク１，５の頒布登録を行うための記録媒体番号、著作権の所有者や管理者を特定するための著作権ＩＤ、光ディスク１，５に記録されたディジタルコンテンツに関連するインターネット上の所定のウェブサイトにアクセスするためのＵＲＬ等の識別データが第２の記録領域３に設けられたピットパターン上の反射膜に熱記録される。勿論、製造装置ＩＤ等を識別データとして第２の記録領域３，７に記録するときには、製造元において、識別データを反射膜に熱記録するようにしてもよい。
【００３６】
以上のように構成された光ディスク１，５の第２の記録領域３，７には、図１０Ａに示すように、ＥＦＭ変換テーブルの２５番目のパターンに従った記録トラック上の８Ｔのピット部Ｐと、このピット部Ｐに次ぐ９Ｔのランド部Ｌに識別データを構成するピット３８が記録される。識別データは、第２の記録領域３，７のデータ領域を構成するピット部Ｐとランド部Ｌに再生時より高出力の光ビームを照射することによって光ディスク１，５の反射膜を加熱し、ピット部Ｐと同じ光学的特性を有するように基板を変形させることによって記録される。勿論、識別データＤは、ピット部Ｐのみに記録するようにしてもよく、また、ランド部Ｌのみに記録するようにしてもよい。記録されるピット３８の長さは、例えば３Ｔ以上の長さで記録された結果、残ったランド部Ｌ又はピット部Ｐの長さも例えば３Ｔ以上の長さになるようにされる。その結果、記録されたピット３８、残ったピット部、ランド部が規格から外れ読み出せなくなることを防止することができる。
【００３７】
また、図１０Ａに示した例は、識別データを記録トラック上に記録した例であるが、図１０Ｂに示すように、識別データは、記録トラック間に記録するようにしてもよい。更に、識別データは、図１１Ａに示すように、識別データを構成するピット３８を複数のピット部Ｐ及びランド部Ｌに跨って記録トラック上に記録するようにしてもよい。ここで、識別データを構成するピット３８は、長さが例えば１４７Ｔであり、３Ｔの繰り返しのピットパターンに関係なく記録される。識別データは、例えば「１」のとき、高出力の光ビームで１４７Ｔの長さのピットが熱記録され、「０」のとき、１４７Ｔの長さ分通常の光ビームを照射し、熱記録されないようにすることで、３Ｔの繰り返しのピットパターン上に記録される。識別データのパターンの長さは、例えばＥＦＭの１フレーム分のチャンネルビット数、すなわち５８８ビットで割り切れる数であれば、１４７Ｔに限定されるものではなく、例えば４９Ｔ、８４Ｔ、９８Ｔ、１９６Ｔ等であってもよい。
【００３８】
なお、識別データＤは、図１１Ｂに示すように、記録トラック間に記録するようにしてもよい。識別データは、複数のピット部Ｐとランド部Ｌに跨った長いピット３８を、図１０Ａに示すＥＦＭ変換テーブルの２５番目のパターンに従った８Ｔのピット部Ｐ及び９Ｔのランド部Ｌ上に記録するようにしてもよい。
【００３９】
ところで、第２の記録領域３，７には、識別データがＥＦＭ変調と異なる変調方式で記録される。例えばＮＲＺ（Non Return to Zero）変調やＮＲＺＩ（Non Return to Zero Inverted）変調によるとき、第２の記録領域３，７には、書き込みデータが「１」のとき、高出力の光ビームをランド部Ｌ及び／又はピット部Ｐに照射し、書き込みデータが「０」のとき、高出力の光ビームを照射しないようにすることで、識別データが記録される。勿論、これとは逆に、第２の記録領域３，７には、書き込みデータが「０」のとき、高出力の光ビームをランド部Ｌ及び／又はピット部Ｐに照射し、書き込みデータが「１」のとき、高出力の光ビームを照射しないようにすることで識別データを記録するようにしてもよい。
【００４０】
ＰＥ（Phase Encoding）変調によるとき、第２の記録領域３，７には、書き込みデータが「１」のとき、ＰＥ変調された高出力の光ビームをランド部Ｌ及び／又はピット部Ｐに照射し、書き込みデータが「０」のとき、高出力の光ビームを照射しないようにすることで、識別データが記録される。勿論、これとは逆に、第２の記録領域３，７には、書き込みデータが「０」のとき、ＰＥ変調された高出力の光ビームをランド部Ｌ及び／又はピット部Ｐに照射し、書き込みデータが「１」のとき、高出力の光ビームを照射しないようにすることで識別データを記録するようにしてもよい。
【００４１】
更に、ＦＭ（Frequency Modulation）変調のとき、第２の記録領域３，７には、書き込みデータが「１」のとき、ＲＦ信号の変化の周波数が１．１ＭＨｚとなるように高出力の光ビームをランド部Ｌ及び／又はピット部Ｐに照射し、書き込みデータが「０」のとき、ＲＦ信号の変化の周波数が１．３ＭＨｚとなるように高出力の光ビームをランド部Ｌ及び／又はピット部Ｐに照射するようにすることで、識別データが記録される。
【００４２】
更に、ＰＥ変調とＦＭ変調とを組み合わせたとき、第２の記録領域３，７には、書き込みデータが「１」のとき、ＲＦ信号の変化の周波数が１．１ＭＨｚとなるようにＰＥ変調された高出力の光ビームをランド部Ｌ及び／又はピット部Ｐに照射し、書き込みデータが「０」のとき、ＲＦ信号の変化の周波数が１．３ＭＨｚとなるようにＰＥ変調された高出力の光ビームをランド部Ｌ及び／又はピット部Ｐに照射するようにすることで、識別データが記録される。
【００４３】
以上のような光ディスク１，５に対して識別データを記録すると共に、光ディスク１，５に記録されたデータを再生することができる記録再生装置４０は、図１２に示すように、入力端子４１から入力された識別データの記録処理を行う記録処理回路４２と、記録処理回路４２からの出力に基づいて光ビームを光ディスク１，５の第２の記録領域３，７に照射し識別データの記録を行うと共にデータの読み出しを行う光ピックアップ４３と、光ピックアップ４３からの出力が入力されるＲＦ回路４４と、ＲＦ回路４４からの出力に再生処理を施し出力端子４６に出力する再生処理回路４５と、ＲＦ回路４４の出力に基づいて対物レンズのフォーカシング制御信号とトラッキング制御信号を生成するサーボ回路４７と、光ディスク１，５を回転する駆動モータ４８と、駆動モータ４８を制御する駆動回路４９と、利用者の操作に応じて操作信号を生成する操作部５０と、操作信号に応じて全体の動作を制御する制御回路５１とを備える。
【００４４】
記録処理回路４２は、入力端子４１より識別データが入力されると、この識別データを標本化し、エラー訂正符号化処理を行う。そして、記録処理回路４２は、エラー訂正符号化処理が施されたデータを上述した変調方式、すなわちＮＲＺ変調、ＮＲＺＩ変調、ＰＥ変調、ＦＭ変調、ＰＥ変調とＦＭ変調との組み合わせ等の変調方式で変調し、光ピックアップ４３に出力する。
【００４５】
光ピックアップ４３は、光ビームとしてのレーザ光を出射する半導体レーザ、半導体レーザより出射されたレーザ光を集束する対物レンズ、光ディスク１，５で反射された戻りの光ビームを検出する光検出器等を備える。半導体レーザより出射されたレーザ光は、対物レンズにより集束され、光ディスク１の信号記録面に照射される。ここで、半導体レーザは、光ディスク１の第１及び第３の記録領域２，４のディジタルコンテンツの読み出しを行うときや光ディスク５の第１の記録領域６のディジタルコンテンツの読み出しを行うとき、読み出しに必要なレベルで反射膜に変化を生じさせない程度のレベルでレーザ光を出射する。半導体レーザは、識別データの書き込みを行うとき、光ディスク１，５の第２の記録領域３，７の反射膜に複数のピットからなる識別データを熱記録することができるように識別データに基づいて変調され、読み出し時より高レベルの光ビームを出射する。
【００４６】
光ディスク１，５の信号記録面で反射されたレーザ光は、光検出器により検出されて光検出器から電気信号として出力され、光検出器からの電気信号としての出力信号をＲＦ回路４４に供給する。対物レンズは、２軸アクチュエータ等の対物レンズ駆動機構に保持され、光検出器からの出力信号から生成された後述するエラー信号に基づいて対物レンズの光軸と平行なフォーカシング方向及び対物レンズの光軸に直交するトラッキング方向に対物レンズ駆動機構により駆動変位される。
【００４７】
ＲＦ回路４４は、光ピックアップ４３の光検出器からの出力信号に基づいて、ＲＦ信号、フォーカシングエラー信号及びトラッキングエラー信号を生成する。例えばフォーカシングエラー信号は、いわゆる非点収差法により生成され、トラッキングエラー信号は、いわゆる３ビーム法やいわゆるプッシュプル法により生成される。ＲＦ回路４４は、ＲＦ信号を再生処理回路４５に出力し、フォーカシングエラー信号及びトラッキングエラー信号をサーボ回路４７に出力する。
【００４８】
サーボ回路４７は、対物レンズをフォーカシング方向、トラッキング方向に駆動変位させるサーボ信号を生成する。具体的に、サーボ回路４７は、ＲＦ回路４４から供給されるフォーカシングエラー信号に基づき、このフォーカシングエラー信号が０となるように、フォーカシングサーボ信号を生成し、また、ＲＦ回路４４から供給されるトラッキングエラー信号に基づき、このトラッキングエラー信号が０となるように、トラッキングサーボ信号を生成する。サーボ回路４７は、フォーカシングサーボ信号及びトラッキングサーボ信号を光ピックアップ４３の対物レンズ駆動機構の駆動回路に出力する。この駆動回路は、フォーカシングサーボ信号及びトラッキングサーボ信号に基づいて、対物レンズを駆動する対物レンズ駆動機構を駆動制御する。すなわち、駆動回路は、フォーカシングサーボ信号に基づき対物レンズ駆動機構を構成する２軸アクチュエータを駆動し、対物レンズを対物レンズの光軸と平行なフォーカシング方向に駆動変位させ、トラッキングサーボ信号に基づき２軸アクチュエータを駆動し、対物レンズの光軸に直交するトラッキング方向に対物レンズを駆動変位させる。
【００４９】
再生処理回路４５は、光ディスク１の第１及び第３の記録領域２，４に記録されている第１及び第２のディジタルコンテンツや光ディスク５に記録されているディジタルコンテンツを読み出しているとき、ＲＦ回路４４からのＲＦ信号のレベル変化を検出して２値化する。再生処理回路４５は、ＲＦ信号を２値化したデータにＥＦＭ復調処理を施し、次いで、ＥＦＭ変調処理が施されたデータにＣＩＲＣによる訂正処理を施し出力端子４６に出力する。
【００５０】
再生処理回路４５は、光ディスク１の第２の記録領域３や光ディスク６の第２の記録領域７に記録されている識別データを読み出すとき、第２の記録領域３，７に設けられたピットパターン、すなわち図８に示す９Ｔ、８Ｔの周期で設けられたピットパターンや図９に示す３Ｔの繰り返しのピットパターンによって変化するＲＦ信号に対して更に高出力の光ビームで熱記録されたパターンによるＲＦ信号のレベル変化を検出し２値化する。再生処理回路４５は、ＲＦ信号を２値化したデータに記録処理回路４２で施された変調方式に対応した方式で復調し、次いで訂正処理を施し出力端子４６や制御部５０に出力する。
【００５１】
駆動回路４９は、光ディスク１，５の径方向に移動する光ピックアップ４３の位置に応じて線速度が一定となるように駆動モータ４８を駆動制御する。例えば、駆動回路４９は、光ディスク１の第１の記録領域２の再生をするとき、線速が１．２ｍ／ｓｅｃとなるように駆動モータ４８を駆動し、光ディスク１の第３の記録領域４や光ディスク５の第１の記録領域６の再生を行うとき、線速が０．９ｍ／ｓｅｃとなるように駆動モータ４８を駆動する。勿論、駆動回路４９は、駆動モータ４８を光ディスク１，５の回転数が一定となるように駆動制御するようにしてもよい。
【００５２】
操作部５０は、装置本体に設けられ、識別データを光ディスク１，５の第２の記録領域３，７に記録するための記録釦、光ディスク１に記録された第１及び第２のディジタルコンテンツや光ディスク５の第１の記録領域６を再生するための再生釦、順方向にトラックジャンプするための順方向トラックジャンプ釦、逆方向にトラックジャンプするための逆方向トラックジャンプ釦、再生動作を停止するための停止釦等から構成されている。これらの操作釦は、装置の利用者によって操作されると、操作された操作釦に対応した操作信号を制御部５０に出力する。
【００５３】
制御部５０は、操作部５０から入力された操作信号に応じて装置全体の動作を制御する。すなわち、制御部５０は、記録釦が利用者によって押されたとき、識別データを光ディスク１，５の第２の記録領域３，７に記録するように、記録処理回路４２、光ピックアップ４３等を制御する。制御部５０は、再生釦が操作され、光ディスク１に記録されている第１及び第２のディジタルコンテンツや光ディスク５に記録されているディジタルコンテンツを再生するとき、再生処理回路４５、光ピックアップ４３等を制御する。更に、制御部５０は、例えば利用者によって再生操作がされたときで光ディスク１，５の第２の記録領域３，７に記録されている識別データが検出できなかったとき、光ディスク１の第１及び第３の記録領域２，４に記録されている第１及び第２のディジタルコンテンツ及び光ディスク５の第１の記録領域６に記録されているディジタルコンテンツの再生を禁止するように制御する。
【００５４】
次に、以上のように構成された記録再生装置４１が光ディスク１，５の第２の記録領域３，７に識別データを記録するときの一連の動作について説明する。
【００５５】
利用者によって記録釦が押されると、駆動回路４９により駆動モータ４８を、光ディスク１を線速度一定で回転駆動するように制御し、光ディスク１，５の回転が制御される。これと共に、光ピックアップ４３は、光ディスク１がディスク装着部に装着されているとき、光ビームを第１乃至３の記録領域２，３，４に亘って照射し第１乃至３の記録領域２，３，４をスキャンする。光ピックアップ４３は、光ディスク５がディスク装着部に装着されているとき、光ビームを第１及び第２の記録領域６，７をスキャンする。制御部５０は、ＲＦ回路４４から入力されるＲＦ信号のレベル変化を検出することによって、識別データを記録する第２の記録領域３，７を特定する。
【００５６】
これと共に、入力端子４１に接続されたコンピュータ等の外部機器より識別データが入力されると、記録処理回路４２は、識別データを光ディスク１の第２の記録領域３に記録することができるように、この識別データを標本化し、エラー訂正符号化処理を行い、ＮＲＺ変調、ＮＲＺＩ変調、ＰＥ変調、ＦＭ変調、ＰＥ変調とＦＭ変調との組み合わせ等の変調方式で変調し、光ピックアップ４３に出力する。光ピックアップ４３は、記録処理回路４２からの入力データに基づいて、半導体レーザより出射する光ビームの出力を再生時のレベルより高い記録時レベルに切り換えることにより、光ディスク１，５の第２の記録領域３，７のピットパターン上の反射膜に、図１０Ａ、Ｂ又は図１１Ａ、Ｂに示すように識別データに対応したパターンを熱記録する。
【００５７】
識別データの記録時において、光ディスク１，５の信号記録面で反射された戻りの光ビームは、光検出器により検出され、電気信号に変換され、光検出器からの電気信号を出力信号としてＲＦ回路４４に供給する。ＲＦ回路４４は、第２の記録領域３，７の９Ｔ、８Ｔや３Ｔ、３Ｔの周期で設けられたピットパターンから得られる信号に基づいて、フォーカシングエラー信号とトラッキングエラー信号を生成し、サーボ回路４７に出力する。サーボ回路４７は、供給されたフォーカシングエラー信号に基づき、フォーカシングサーボ信号を生成し、また、トラッキングエラー信号に基づき、トラッキングサーボ信号を生成し、これらのエラー信号を光ピックアップ４３を構成する対物レンズ駆動機構の駆動回路に出力する。対物レンズ駆動機構がフォーカシングサーボ信号、トラッキングサーボ信号に基づいて対物レンズを光ビームの光軸方向に駆動変位させることによってフォーカシング制御を行い、対物レンズを光ビームの光軸に直交する方向に駆動変位させることによってトラッキング制御を行う。すなわち、第２の記録領域３，７に設けられた９Ｔ、８Ｔのピットパターンや３Ｔ、３Ｔのピットパターンは、専らフォーカシング及びトラッキング制御に用いられるものであり、光ディスク１，５を再生する利用者にとって価値のあるデータではない。かくして、第２の記録領域３，７に識別データが記録された光ディスク１は、例えば販売店等で利用者に販売される。
【００５８】
次に、光ディスク１に記録された識別データ及び第１及び第２のディジタルコンテンツを再生するときの一連の動作について説明する。
【００５９】
利用者によって再生釦が押されると、駆動回路４９は、光ディスク１，５を線速度が一定となるように駆動モータ４８を駆動する。これと共に、光ピックアップ４３は、光ビームを光ディスク１，５の信号記録面に照射する。光ディスク１，５の信号記録面で反射された戻りの光ビームは、光検出器により検出されて電気信号に変換され、光検出器からの電気信号を出力信号としてＲＦ回路４４に出力する。ＲＦ回路４４は、ＲＦ信号を生成し再生処理回路４５に出力すると共に、フォーカシングエラー信号とトラッキングエラー信号を生成し、サーボ回路４７に出力する。
【００６０】
光ディスク１，５の第２の記録領域３，７に記録されている識別データを再生するとき、再生処理回路４５は、第２の記録領域３，７に設けられた９Ｔ、８Ｔや３Ｔ、３Ｔの周期で設けられたピットパターンで変化するＲＦ信号に対して更に高出力の光ビームで熱記録されたパターンによるＲＦ信号の変化を検出し２値化する。再生処理回路４５は、ＲＦ信号を２値化したデータを上述した記録処理回路４２で施された変調方式に対応した方式で復調し、次いで訂正処理を施し出力端子４６や制御部５０に出力する。
【００６１】
光ディスク１，５の第２の記録領域３，７に記録されている識別データを再生しているとき、ＲＦ回路４４は、第２の記録領域３，７に設けられた９Ｔ、８Ｔや３Ｔ、３Ｔの周期で設けられたピットパターンから得られる信号に基づいて、フォーカシングエラー信号とトラッキングエラー信号を生成し、サーボ回路４７に出力する。サーボ回路４７は、フォーカシングエラー信号に基づき、フォーカシングサーボ信号を生成し、トラッキングエラー信号に基づき、トラッキングサーボ信号を生成し、これらのエラー信号を光ピックアップ４３を構成する対物レンズ駆動機構の駆動回路に出力する。対物レンズ駆動機構が供給されたフォーカシングサーボ信号、トラッキングサーボ信号に基づいて対物レンズを光ビームの光軸方向に駆動変位させることによってフォーカシング制御を行い、対物レンズを光ビームの光軸に直交する方向に駆動変位させることによってトラッキング制御を行う。かくして、記録再生装置４０は、光ディスク１，５の第２の記録領域３，７に記録されている識別データを再生することができる。
【００６２】
光ディスク１の第１の記録領域２若しくは第３の記録領域４に記録されているディジタルコンテンツ又は光ディスク１の第１の記録領域６に記録されているディジタルコンテンツを再生するとき、再生処理回路４５は、光ディスク１の第１の記録領域２若しくは第３の記録領域４又は光ディスク５の第１の記録領域６に設けられたピットパターンに基づくＲＦ回路４４からのＲＦ信号のレベル変化を検出して２値化する。再生処理回路４５は、ＲＦ信号を２値化したデータにＥＦＭ復調処理を施し、次いで、ＥＦＭ変調処理が施されたデータにＣＩＲＣによる訂正処理を施し出力端子４６に出力する。
【００６３】
なお、制御部５０は、光ディスク１の第１及び第３の記録領域２，４に記録された第１及び第２のディジタルコンテンツを再生するときに、最初に第２の記録領域３に識別データが記録されているか否かを判定し、識別データが検出されなかったとき、第３の記録領域４に記録された第２のディジタルコンテンツの再生を禁止したり、第１及び第２の記録領域２，４に記録された第１及び第２のディジタルコンテンツの再生を禁止するようにしてもよい。制御部５０は、光ディスク５の第１の記録領域６に記録されたディジタルコンテンツを再生するときに、最初に第２の記録領域７に識別データが記録されているかを判定し、識別データが検出されなかったとき、第１の記録領域６に記録されたディジタルコンテンツの再生を禁止又は中止するようにしてもよい。これにより、記録再生装置４０は、不正に製造された光ディスク１，５の再生を制限することができる。例えば、第２の記録領域７に識別データが記録されているか否かを判定するには、光ディスク５から読み出されたデータから図８Ａに示すように９Ｔ、８Ｔのデータしか検出されない場合には、識別データは検出されないと判定される。
【００６４】
以上のように光ディスク１，５は、第２の記録領域３，７に識別データを記録するようにすることで、光ディスク１，５の管理を確実に行うことができる。このような光ディスク１，５の記録再生装置４０は、第２の記録領域３，７に記録された識別データを再生するとき、第２の記録領域３，７に設けられたピットパターンを用いることができることから、安定して識別データの記録再生を行うことができる。
【００６５】
この光ディスク１は、第１の記録領域２と第３の記録領域４との間に識別データが記録される第２の記録領域３が設けられていることから、光ディスク１の最内周や最外周に識別データを記録する領域を設けたときよりも、光ピックアップ４３の制御を容易に行うことができ、確実に識別データを読み出すことができる。
【００６６】
光ディスク５にあっても、リードアウト領域の略中央領域に識別データが記録される第２の記録領域７が設けられることから、光ピックアップ４３の制御を容易に行うことができ、確実に識別データを読み出すことができる。すなわち、光ディスク５は、第２の記録領域７をリードアウト領域の略中央領域に設けることで、記録再生装置４０が識別データの記録再生を行うときに、リードアウト領域の外周側に第２の記録領域７を設けたときよりも、第２の記録領域７を確実に特定することができる。正規でない再生装置、すなわち従来からの記録フォーマットのみに対応した再生装置が第２の記録領域７にアクセスしたときにも、直ちにリードアウトすることができることから、この再生装置がエラー状態となり、誤作動することを防止することができる。
【００６７】
次に、以上のような記録再生装置４０によって再生が可能な光ディスク１，５は、次のように用いることができる。例えば識別データとして所定のＵＲＬが光ディスク１，５に記録されているときには、利用者が記録再生装置４０又はパーソナルコンピュータを用いてインターネット等の電気通信回線を介して上記ＵＲＬが示すホームページにアクセスすることによって正規に光ディスク１を購入した利用者のみが特別なサービスをインターネットを介して受けることができるようにすることができる。
【００６８】
本発明に係る光ディスク１，５は、識別データを第２の記録領域３，７に設けられたピットパターン上に熱記録によって記録していることから、ディスク基板に設けられた凹凸のピットパターンを不正に転写したときにも、識別データまでが複写されることを防止することができる。したがって、上述した記録再生装置４０のように、制御部５０が識別データを検出したときに限って、ディジタルコンテンツの再生を許可するようにすることで、例えば不正に製造された光ディスクの再生を禁止することができる。
【００６９】
以上、ピットパターンにより情報信号が記録された光ディスク１を例に取り説明したが、本発明は、光ディスク１の記録パターンはこれに限定されるものではなく、例えばウォブルグルーブやピットウォブルであってもよい。
産業上の利用可能性
本発明は、識別データを記録する領域において、フォーカシング制御及びトラッキング制御用の所定のパターンとして、上記複数のピットと複数のランドを繰り返し設け、識別データを、反射層に光ビームを照射してピットと同じ光学的特性を有するように反射層と基板を物理的に変化させることによって記録トラック上又は記録トラック間に記録するようにしたので、情報記録媒体としての光ディスクの管理を確実に行うことができる。
【図面の簡単な説明】
【図１】  図１は、本発明が適用された光ディスクを示す斜視図である。
【図２】  図２は、本発明が適用された光ディスクの他の例を示す斜視図である。
【図３】  図３は、本発明が適用された光ディスクに記録される信号フォーマットを説明する図である。
【図４】  図４は、光ディスクの製造工程を説明する図である。
【図５】  図５は、スタンパを製造するカッティング装置を説明する図である。
【図６】  図６は、ＥＦＭ変換テーブルを説明する図である。
【図７】  図７は、図６に示したＥＭＦ変換テーブルの続きを説明する図である。
【図８】  図８は、識別データが記録される第２の記録領域のピットパターンを説明する図である。
【図９】  図９は、識別データが記録される第２の記録領域のピットパターンの他の例を説明する図である。
【図１０】  図１０は、図８に示すピットパターン識別データが記録された状態を説明する図である。
【図１１】  図１１は、図９に示すピットパターン識別データが記録された状態を説明する図である。
【図１２】  図１２は、本発明が適用された光ディスクの記録再生装置のブロック図である。
【図１】
0004211395.tif 000002
【図２】
0004211395.tif 000003
【図３】
0004211395.tif 000004
【図４】
0004211395.tif 000005
【図５】
0004211395.tif 000006
【図６】
0004211395.tif 000007
【図７】
0004211395.tif 000008
【図８】
0004211395.tif 000009
【図９】
0004211395.tif 000010
【図１０】
0004211395.tif 000011
【図１１】
0004211395.tif 000012
【図１２】
0004211395.tif 000013